【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
撮像手段と、
前記撮像手段によって撮像された画像データから加工領域を抽出する抽出手段と、
前記抽出手段によって抽出された加工領域を立体画像データに加工する立体加工手段と、
メッセージを作成するメッセージ作成手段と、
前記立体加工手段によって立体加工された画像データを前記メッセージ作成手段によって作成されたメッセージとともに送信するよう指示する送信指示手段と
を具備することを特徴とする画像作成送信システム。
【請求項２】
前記メッセージとともに送信される画像データが送信先の端末にて表示可能か否かを判別する判別手段と、
前記判別手段によって表示不可能と判別された場合、表示可能なデータの形式に変換する変換手段と
を更に具備することを特徴とする請求項１記載の画像作成送信システム。
【請求項３】
前記加工領域とともに前記撮像手段により撮り込まれる画像をスルー表示する表示手段と、
前記表示手段によりスルー画像が表示されている状態で、前記撮像手段による撮像を指示する撮像指示手段と、
前記撮像指示手段による指示を検出すると、前記加工領域内にある画像を抽出するよう前記抽出手段を制御する制御手段と
を更に具備することを特徴とする請求項１または２記載の画像作成送信システム。
【請求項４】
前記立体加工手段によって立体加工された画像データを動画表示させるためのアニメーションデータを作成するアニメーションデータ作成手段と、
前記立体加工された画像データと前記アニメーションデータ作成手段によって作成されたアニメーションデータとを１つのファイル形式にして記憶する記憶手段と
を更に具備することを特徴とする請求項１ないし３のいずれかに記載の画像作成送信システム。
【請求項５】
前記記憶手段に記憶されている画像データを加工する加工手段を更に具備することを特徴とする請求項４記載の画像作成送信システム。
【請求項６】
撮像ステップと、
この撮像ステップにて撮像された画像データより、加工領域を抽出する抽出ステップと、
この抽出ステップにて抽出された加工領域を立体画像データに加工する立体加工ステップと、
メッセージを作成するメッセージ作成ステップと、
前記立体加工ステップにて立体加工された画像データを前記メッセージ作成ステップにて作成されたメッセージとともに送信するよう指示する指示ステップと
からなることを特徴とする画像作成送信方法。
【請求項７】
撮像手段と、
前記撮像手段によって撮像された画像データから加工領域を抽出する抽出手段と、
前記抽出手段によって抽出された加工領域を立体画像データに加工する立体加工手段と、
メッセージを作成するメッセージ作成手段と、
前記立体加工手段によって立体加工された画像データと前記メッセージ作成手段によって作成されたメッセージとともに送信する送信手段と
を具備することを特徴とする携帯情報端末。
【請求項８】
前記加工領域とともに前記撮像手段により撮り込まれる画像をスルー表示する表示手段と、
前記表示手段によりスルー画像が表示されている状態で、前記撮像手段による撮像を指示する撮像指示手段と、
前記撮像指示手段による指示を検出すると、前記加工領域内にある画像を抽出するよう前記抽出手段を制御する制御手段と
を更に具備することを特徴とする請求項７記載の携帯情報端末。
【請求項９】
前記立体加工手段によって立体加工された画像データを動画表示させるためのアニメーションデータを作成するアニメーションデータ作成手段と、
前記立体加工された画像データと前記アニメーションデータ作成手段によって作成されたアニメーションデータとを１つのファイル形式にして記憶する記憶手段と
を更に具備することを特徴とする請求項７または８記載の携帯情報端末。
【請求項１０】
無線通信手段と、
この無線通信手段により、動画表示させるための表示制御情報を含んだ画像データを受信する画像データ受信手段と、
撮像手段と、
この撮像手段による撮像画像より、合成すべき範囲を指定する指定手段と、
前記画像データ受信手段によって受信された画像データと前記指定手段によって指定された範囲の画像とが合成された状態を表示する表示手段と
を具備することを特徴とする携帯情報端末。
【請求項１１】
前記表示制御情報は、複数種の動作を表現する情報を含み、
前記画像データ受信手段によって受信された画像データと前記指定手段によって指定された範囲の画像とが合成された状態の動作を指示する指示手段と、
この指示手段によって指示された内容にしたがって前記複数種の動作を表現する情報より特定の動作を表現する情報を選択する選択手段と、
この選択手段によって選択された動作を表現する情報に基づいて、前記表示手段に表示させる前記受信された画像データと前記指定された範囲の画像とが合成された状態の動作を制御する表示制御手段と
をさらに具備することを特徴とする請求項１０記載の携帯情報端末。
【請求項１２】
前記受信された画像データと前記指定された範囲の画像とが合成された状態を示すデータを記憶する記憶手段を更に具備することを特徴とする請求項１０または１１に記載の携帯情報端末。
【請求項１３】
前記記憶手段に記憶された、前記受信された画像データと前記指定された範囲の画像とが合成された状態を送信する送信手段を更に備えたことを特徴とする請求項１２に記載の携帯情報端末。
【手続補正２】
【補正対象書類名】明細書
【補正対象項目名】００１４
【補正方法】変更
【補正の内容】
【００１４】
また、好ましい態様として、例えば請求項９記載のように、請求項７または８記載の携帯情報端末において、前記立体加工手段によって立体加工された画像データを動画表示させるためのアニメーションデータを作成するアニメーションデータ作成手段と、前記立体加工された画像データと前記アニメーションデータ作成手段によって作成されたアニメーションデータとを１つのファイル形式にして記憶する記憶手段とを更に具備するようにしてもよい。
また、上記目的達成のため、請求項１０記載の発明による携帯情報端末は、無線通信手段と、この無線通信手段により、動画表示させるための表示制御情報を含んだ画像データを受信する画像データ受信手段と、撮像手段と、この撮像手段による撮像画像より、合成すべき範囲を指定する指定手段と、前記画像データ受信手段によって受信された画像データと前記指定手段によって指定された範囲の画像とが合成された状態を表示する表示手段とを具備することを特徴とする。
また、好ましい態様として、例えば請求項１１記載のように、請求項１０記載の携帯情報端末において、前記表示制御情報は、複数種の動作を表現する情報を含み、前記画像データ受信手段によって受信された画像データと前記指定手段によって指定された範囲の画像とが合成された状態の動作を指示する指示手段と、この指示手段によって指示された内容にしたがって前記複数種の動作を表現する情報より特定の動作を表現する情報を選択する選択手段と、この選択手段によって選択された動作を表現する情報に基づいて、前記表示手段に表示させる前記受信された画像データと前記指定された範囲の画像とが合成された状態の動作を制御する表示制御手段とをさらに具備するようにしてもよい。
また、好ましい態様として、例えば請求項１２記載のように、請求項１０または１１に記載の携帯情報端末において、前記受信された画像データと前記指定された範囲の画像とが合成された状態を示すデータを記憶する記憶手段を更に具備するようにしてもよい。
また、好ましい態様として、例えば請求項１３記載のように、請求項１２に記載の携帯情報端末において、前記記憶手段に記憶された、前記受信された画像データと前記指定された範囲の画像とが合成された状態を送信する送信手段を更に備えてもよい。
【手続補正３】
【補正対象書類名】明細書
【補正対象項目名】００７４
【補正方法】変更
【補正の内容】
【００７４】
【発明の効果】
請求項１記載の発明によれば、抽出手段により、撮像手段によって撮像された画像データから加工領域を抽出し、立体加工手段により、該抽出された加工領域を立体画像データに加工し、メッセージ作成手段によりメッセージを作成し、送信指示手段により、前記立体加工された画像データを前記メッセージとともに送信するよう指示するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正４】
【補正対象書類名】明細書
【補正対象項目名】００７５
【補正方法】変更
【補正の内容】
【００７５】
また、請求項２記載の発明によれば、判別手段により、前記メッセージとともに送信される画像データが送信先の端末にて表示可能か否かを判別し、表示不可能と判別された場合、変換手段により、表示可能なデータの形式に変換するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正５】
【補正対象書類名】明細書
【補正対象項目名】００７６
【補正方法】変更
【補正の内容】
【００７６】
また、請求項３記載の発明によれば、表示手段により、前記加工領域とともに前記撮像手段により撮り込まれる画像をスルー表示し、前記表示手段によりスルー画像が表示されている状態で、撮像指示手段による指示を検出すると、制御手段により、前記加工領域内にある画像を抽出するよう前記抽出手段を制御するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正６】
【補正対象書類名】明細書
【補正対象項目名】００７７
【補正方法】変更
【補正の内容】
【００７７】
また、請求項４記載の発明によれば、アニメーションデータ作成手段により、前記立体加工手段によって立体加工された画像データを動画表示させるためのアニメーションデータを作成し、前記立体加工された画像データと前記アニメーションデータ作成手段によって作成されたアニメーションデータとを１つのファイル形式にして記憶手段に記憶するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正７】
【補正対象書類名】明細書
【補正対象項目名】００７８
【補正方法】変更
【補正の内容】
【００７８】
また、請求項５記載の発明によれば、加工手段により、前記記憶手段に記憶されている画像データを加工するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正８】
【補正対象書類名】明細書
【補正対象項目名】００７９
【補正方法】変更
【補正の内容】
【００７９】
また、請求項６記載の発明によれば、抽出ステップで、撮像ステップにて撮像された画像データより、加工領域を抽出し、立体加工ステップで、抽出ステップにて抽出された加工領域を立体画像データに加工し、また、メッセージ作成ステップで、メッセージを作成し、指示ステップで、前記立体加工ステップにて立体加工された画像データを前記メッセージ作成ステップにて作成されたメッセージとともに送信するよう指示するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正９】
【補正対象書類名】明細書
【補正対象項目名】００８０
【補正方法】変更
【補正の内容】
【００８０】
また、請求項７記載の発明によれば、抽出手段により、撮像手段によって撮像された画像データから加工領域を抽出し、立体加工手段により、該抽出された加工領域を立体画像データに加工し、メッセージ作成手段によりメッセージを作成し、送信指示手段により、前記立体加工された画像データを前記メッセージとともに送信するよう指示するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正１０】
【補正対象書類名】明細書
【補正対象項目名】００８１
【補正方法】変更
【補正の内容】
【００８１】
また、請求項８記載の発明によれば、表示手段により、前記加工領域とともに前記撮像手段により撮り込まれる画像をスルー表示し、前記表示手段によりスルー画像が表示されている状態で、撮像指示手段による指示を検出すると、制御手段により、前記加工領域内にある画像を抽出するよう前記抽出手段を制御するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
【手続補正１１】
【補正対象書類名】明細書
【補正対象項目名】００８２
【補正方法】変更
【補正の内容】
【００８２】
また、請求項９記載の発明によれば、アニメーションデータ作成手段により、前記立体加工手段によって立体加工された画像データを動画表示させるためのアニメーションデータを作成し、前記立体加工された画像データと前記アニメーションデータ作成手段によって作成されたアニメーションデータとを１つのファイル形式にして記憶手段に記憶するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。
また、請求項１０記載の発明によれば、画像データ受信手段により、動画表示させるための表示制御情報を含んだ画像データを無線通信手段で受信し、指定手段により、撮像手段による撮像画像より、合成すべき範囲を指定し、表示手段により、前記画像データ受信手段によって受信された画像データと前記指定手段によって指定された範囲の画像とが合成された状態を表示するようにしたので、携帯電話のような特殊な画像処理機能を備えていない装置であっても、表現力を持たせた合成立体画像を再生表示することができるという利点が得られる。
また、請求項１１記載の発明によれば、前記表示制御情報を、複数種の動作を表現する情報を含むようにし、指示手段により、前記画像データ受信手段によって受信された画像データと前記指定手段によって指定された範囲の画像とが合成された状態の動作を指示し、選択手段により、指示された内容にしたがって前記複数種の動作を表現する情報より特定の動作を表現する情報を選択し、表示制御手段により、選択された動作を表現する情報に基づいて、前記表示手段に表示させる前記受信された画像データと前記指定された範囲の画像とが合成された状態の動作を制御するようにしたので、携帯電話のような特殊な画像処理機能を備えていない装置であっても、表現力を持たせた合成立体画像を再生表示することができるという利点が得られる。
また、請求項１２記載の発明によれば、前記受信された画像データと前記指定された範囲の画像とが合成された状態を示すデータを記憶手段に記憶するようにしたので、携帯電話のような特殊な画像処理機能を備えていない装置であっても、メールに添付しても再生可能な表現力を持たせた合成立体画像を再生表示することができるという利点が得られる。
また、請求項１３記載の発明によれば、送信手段により、前記記憶手段に記憶された、前記受信された画像データと前記指定された範囲の画像とが合成された状態を送信するようにしたので、携帯電話のような特殊な画像処理機能を備えていない装置であっても、メールに添付しても再生可能な表現力を持たせた合成立体画像を作成することができ、また、合成立体画像を添付したメールの送信に伴う不具合を低減することができるという利点が得られる。